(57)【要約】【課題】立体マスクを装着した人物の鼻から高温多湿の空気を吸収させる。【解決手段】人物の顔に装着された立体マスクのマスク主体部の内側に立体マスク用加湿具を存在させることで、その人物が鼻で吸気を行うと、その人物の顔が正面を向いている場合は、その人物の鼻腔入口の高さよりも下に在る空間の中の温水等が染み込んだ物体から上がる湯気と前記立体マスクの前記マスク主体部の網の目をくぐり抜けて下部に在る孔に入った空気とが混ざった高温多湿の空気が人物の鼻腔入口から入ることとなる。【選択図】図５５
2020037757.tif 000002
【特許請求の範囲】
【請求項１】
人物によって使用されている時は、人物の顔に装着されている立体マスク２のマスク主体部３の内側に存在する状態となる立体マスク用加湿具１であって、前記立体マスク用加湿具１は、前記立体マスク用加湿具１が人物に使用されている時に全体、又は殆どの部分が人物の顔に装着されている前記立体マスク２の前記マスク主体部３の内面１５８と密着する状態となる表面１６０を有する上部１８と、前記上部１８が上に在る時は前記上部１８の下の位置に存在し、前記上部１８とつながっている形で造られている下部１５とで成り、前記下部１５の内部は空間となっており、前記空間には、水等の液体が貯めることが出来る容器状となっている部分が在ることを特徴とする。
【請求項２】
前記上部１８は上部主体部２２と、前記上部主体部２２の上側後方に在る三角形状の部分２３の後辺２４の左側のところと右側のところから別々に後方に向って開いた状態で延びる左の板状の部分３６と右の板状の部分３９とで成っていることを特徴とする請求項１記載の立体マスク用加湿具。
【請求項３】
前記左の板状の部分３６、そして、前記右の板状の部分３９は供に上下幅、即ち、左右の幅の長さよりも前後幅の長さが長い形であることを特徴とする請求項２記載の立体マスク用加湿具。
【請求項４】
前記上部１８を上にし、そして、前記下部１５を下にして前記下部の下先端部１６４でもある前記立体マスク用加湿具１の下先端部２０の面を水平にした状態の前記立体マスク用加湿具１を上から視た場合、前記左の板状の部分３６の上辺９と前記右の板状の部分３９の上辺９は間を設けて存在しており、その間の状態は、前記左の板状の部分の上辺９の前先端部２８と前記右の板状の部分の上辺９の前先端部２８とをつないだ直線２５の長さは前記左の板状の部分の上辺９の後ろ先端部１０と前記右の板状の部分の上辺９の後ろ先端部１０とをつないだ直線の長さよりも短い状態であることを特徴とする請求項３記載の立体マスク用加湿具。
【請求項５】
前記左の板状の部分３６、前記右の板状の部分３９の左右の幅の長さは供に前先端部付近よりも後ろ先端部付近の方が短くなっていることを特徴とする請求項４記載の立体マスク用加湿具。
【請求項６】
前記左の板状の部分３６の下辺６と前記右の板状の部分３９の下辺６が水平で同じ高さとなった立体マスク用加湿具１の前記左右の板状の部分３６、３９の表面１６５は斜め上外側横を向いた状態となって存在していることを特徴とする請求項５記載の立体マスク用加湿具。
【請求項７】
前記下部１５の内部の空間３１には筒状の部材１２４、又は、下部１５の内面を一部として形成されている筒状の部分１２５、又は、板状の部材５２が存在していることを特徴とする請求項６記載の立体マスク用加湿具。
【請求項８】
前記板状の部材５２は下部の下部１５９の内部に存在する空間の内部を前後、又は、左右に分ける形で二つの空間をつくる状態で存在しており、その二つの空間の内の一つの空間囲んでいる前記板状の部材５２を除く側面、即ち、下部の下部１５９の側面には、内外に空気が自由に出入り出来る状態の一体、又は、複数体の孔が存在していることを特徴とする請求項７記載の立体マスク用加湿具。
【請求項９】
前記立体マスク用加湿具１の前記左右の板状の部分３６、３９の二つの下辺６を同じ高さにして水平にした場合、前記板状の部材５２は垂直となってその板状の部材の上先端部１６７は水平の状態となり、前記三角錐状の部分の内部の空間１２０に前記板状の部材５２が在ることで出来た二つの空間の内の下部の下部の側面に孔が存在していていない方の空間１６９の上から前記下部の下部の側面に孔が存在していない空間１６９に水等の液体を注ぎ続けた場合、その水等の液体は前記板状の部材５２の上先端部１６８の高さにくるまでは外に流れ出ることが出来ない構造を前記下部の下部の側面に孔が存在していない方の空間１６９はしていることを特徴とする請求項８記載の立体マスク用加湿具。
【発明の詳細な説明】
【技術分野】
【０００１】本発明は人物の顔に装着された立体マスクのマスク主体部の内側に存在させる形をとることで、その人物、即ち、その立体マスク装着者が鼻から高温多湿の空気を吸収することが出来ることを可能にする構造をした立体マスク用加湿具に関する。
【背景技術】
【０００２】  現在市場には数多くの立体マスクが流通している。【０００３】花粉症を持つ人々の殆どは高温多湿の浴室内に居る時は一時的ではあるが花粉症の症状が和らぐことを考えると、花粉症を持つ人が立体マスクを装着した時にその立体マスクのマスク主体部の内側に出来ている空間内を高温多湿の状態にすれば、その花粉症を持つ人は鼻から高温多湿の空気を吸収することが出来、その花粉症を持つ人は花粉症の症状が和らぐ状態になる可能性が極めて高くなるのであるが、現在市場に流れている立体マスクの構造は、マスク主体部を何重かに重ねるとか網の目を細かくすること等に重点が置かれ、それらのような工夫がされていてもマスク主体部内には外から花粉等が入ってくる現実が在り、人物の顔に装着された立体マスクのマスク主体部内に出来る空間内を高温多湿の状態にする工夫がされているものは存在しない。【０００４】中には人物の顔に装着された立体マスクのマスク主体部の内側に出来る空間に多数本の湿気を含んだ糸状の部材を存在させると云う工夫がされているものもあるがその方法では人物の顔に装着された立体マスクのマスク主体部内を高温多湿の状態にすることは難しい。【０００５】なお、本願発明に関する公知技術として次の特許文献を挙げることが出来る。【０００６】
【特許文献】特開２０１０−２５７２８４公報
【発明が解決しようとする課題】
【０００７】  上述の如く、現在の立体マスクの形状では人物の顔に装着された時に、その人物、即ち、その立体マスク装着者は高温多湿の空気を鼻から吸収することは出来ない。
【０００８】本発明はこのような点に鑑みて成されたものであり、その目的は立体マスクを装着した人物の鼻から高温多湿の空気を吸収させることである。
【課題を解決するための手段】
【０００９】使用されている時は人物の顔に装着された立体マスク２のマスク主体部３の内側に存在する形となっている立体マスク用加湿具１であって、前記立体マスク用加湿具１は、使用されている時は、表面の全体、又は表面の殆どの部分が前記立体マスク２のマスク主体部３の裏面と密着する状態となる上部１８と、前記上部１８の下に、前記上部１８とつながった状態となって存在している下部１５とで成っており、前記上部１８は上部主体部２２と、その上部主体部の右側の部分１６５から後方に延びる右の板状の部分３９、そして、その上部主体部の左側の部分１６６から後方に延びる左の板状の部分３６、即ち、左右の板状の部分３６、３９で成っており、前記上部１８の上の方に在る隙間を挟んで向い合って存在している前記左の板状の部分３６の上辺９と前記右の板状の部分３９の上辺９の間の距離は、前の方よりも後ろの方が長くなっており、そして前記下部１５の内部の全体、又は殆どの部分は、空間となっており、その空間は内部に水等の液体を貯めることが出来る容器状となっていることを特徴とする。
【００１０】前記右の板状の部分３９と前記左の板状の部分３６の前後の長さは同じ長さであり、そして、前記上辺９と６下辺をつなぐ最短距離の長さ、即ち、幅の長さは、前記右の板状の部分３９、そして、前記左の板状の部分３６ともに前記上辺が出ている付近よりもそれらの板状の部分の後ろ先端部付近の方が短くなっていることを特徴とする。
【００１１】前記上部１８を上に、そして、前記下部１５を下にしたその上部と下部を有する前記立体マスク用加湿具１の前記上部１８の前記左右の板状め部分３６、３９の二つの下辺６を、それら下辺６の全体が同じ高さとなるように、そして、水平にし、その左右の板状の部分３６、３９を有する立体マスク用加湿具１を、横から視た時に見えるその立体マスク用加湿具１の状態でその立体マスク用加湿具の形状を説明すると、水平で直線となって見える前記左右の板状の部分３６、３９の前記下辺６の前に存在する前記立体マスク用加湿具１の部分に、その立体マスク用加湿具１の部分を横断する形で前記左右の板状の部分の下辺６から前側に延びる延長線７を描いた場合、その延長線の中で、前記立体マスク用加湿具１の最も前側となっているところと重なっているところの裏側に隠れている立体マスク用加湿具の部分がその立体マスク用加湿具１の前の縦の線の下部１３８の上先端部４３であり、そして、その立体マスク用加湿具１の下先端部２０は、水平となって、その水平となっている下先端部２０の前先端部２１は、前の縦の線の下部の下先端部４８となるのであるが、上で述べているように前記左右の板状の部分３６、３９の二つの前記下辺６が同じ高さで水平となっている場合、前記前の縦の線の下部１３８が直線状となっている場合は、その直線状の前の縦の線の下部１３８は垂直となり、前記前の縦の線の下部１３８が前側にふくらんだカーブを有している場合は、その前側にふくらんだカーブを有している前の縦の線の下部１３８の上先端部４３と下先端部４８をつなぐ見えない直線４９は垂直となり、つまり、前記前側にふくらんだカーブを有している前の縦の線の下部１３８の前記上先端部４６のま下には前の縦の線の下部の下先端部４８が存在していることを特徴とする。
【００１２】前記上部１８が上、そして、前記下部１５が下となり、そして、前記上部１８が有する前記左右の板状の部分３６、３９の二つの前記下辺６が同じ高さとなり水平となっている状態の前記立体マスク用加湿具１を、その立体マスク用加湿具１のま上となる位置から視た場合、Ｕの字の左右の縦となって存在している二つの直線状の部分が上に向って開いている形となっている略Ｕ字状となっているところがあり、そのＵの字の左右の縦となっている部分が前記左右の板状の部分３６、３９の前記上辺９であり、そして、そのＵの字の下先端部とその付近に当たるところが前記左の板状の部分３６の前記上辺９が出ているところ２８と前記右の板状の部分３９の前記上辺９が出ているところ２８との間に在る三角形状の部分２３の後辺２４であり、その三角形状の部分の後辺２４は左右の中央のところが最も前側に向って凹んでいる形状をしていることを特徴する。
【００１３】前記立体マスク用加湿具１が前記立体マスク用加湿具１が有する前記上部１８が上、そして、前記下部１５が下となり、そして、前記上部１５が有する前記左右の板状の部分３６、３９の二つの前記下辺６が同じ高さで水平の状態となった時には、前記上部１８の前記左右の板状の部分３６、３９の表面は、斜め上外側を向いている状態となっていることを特徴とする。
【００１４】前記容器状となっている空間５２を内部に持つ前記下部１５の外観は、下側となっているところが細くなっている略三角錐状であることを特徴とする。
【００１５】外観が略三角錐状となっている前記下部１５の内部に在る前記容器状となっている空間５２の形成されている状態は、前記上部１８が有する前記左右の板状の部分３６、３９の前記二つの下辺６が同じ高さで水平となっている状態の前記立体マスク用加湿具１を横から視る形で説明すると、その水平となっている左右の板状の部分の二つの下辺６の下に、その二つの下辺６と密着、またはほぼ密着した状態となって存在し、そして、その下に在る二つの下面９７と同じように同じ高さで水平となって存在する上面９６を有し、そして、横から視れば略正方形状、又は、略長方形状となって見える外側表面１０２を有し、そして、前記二つの下面９７を有している左右に別れて存在する形となっている四角柱状の部分５７、５８を有している人中の前にくる部分５５が在り、その人中の前にくる部分５５は前記左右の四角柱状の部分５７、５８と前記左の四角柱状の部分５７と前記右の四角柱状の部分５８の下面９６どうし、そして後面７４どうしをつなぐ状態となって存在している膜状となって存在している部分の前記左の四角柱状の部分５７と前記右の四角柱状の部分５８の間となるところに張った状態で存在している下面６０と後面５９とで成っており、前記略三角錐状の下部１５の内部に存在する前記容器状となっている空間５２は、前記立体マスク用加湿具１が有する前記左右の板状の部分５７、５８の二つの前記下辺６が同じ高さで水平となっている時は、前記人中の前にくる部分５５が有する前記左右の四角柱状の部分５７、５８の前記上面９６の下に存在するその人中の前にくる部分５５によってつくられた空間とそして、前記人中の前にくる部分５５の前側に在る、前記人中の前にくる部分の前記左右の四角柱状の部分の上面９６の高さのところから前記左右の四角柱状の部分の下面９７の高さのところに在る前記立体マスク用加湿具１の部分の内部に在る空間と前記立体マスク用加湿具１の前記人中の前にくる部分５５の前記左右の四角柱状の部分の下面９７の高さとなるところから下に在る前記立体マスク用加湿具１が有する外観が略三角錐状となっている前記下部１５の内の外観が下側が細い三角錐状となっている三角錐状の部分１１８の内部に在る空間１２０とがつながって略三角錐状となった前記下部１５の内部に一つの空間をつくっていることを特徴とする。
【００１６】前記立体マスク用加湿具１が有する前記上部１８の前記左右の板状の部分３６、３９の二つの前記下辺６が同じ高さとなって水平の状態となっている時には、前記人中の前にくる部分５５の前記後面１３７は、垂直となって存在していることを特徴とする。
【００１７】前記人中の前にくる部分５５は前記立体マスク用加湿具１から取り外すこと、そして、前記立体マスク用加湿具本体４に取り付けることが出来ることを特徴とする。
【００１８】前記人中の前にくる部分５５が有する前記左右の四角柱状の部分５７、５８には、その左右の四角柱状の部分５７、５８の前面９８に在る前端となるところは空いており、そして、後面側に在る後ろ端となるところは塞がれている状態の孔７３が存在しており、その人中の前にくる部分５５が前記立体マスク用加湿具１の一部となって存在している時の状態は、前記立体マスク用加湿具本体４が有する板状の左右の後ろ側にはみ出た部分３８、５１が前記左右の四角柱状の部分５７、５８が持つ前記孔７３の中に入った状態となって存在していることを特徴とする。
【００１９】前記立体マスク用加湿具１の下先端部２０には孔が存在しており、前記孔は、前記立体マスク用加湿具１が有する上部１８の前記左右の板状の部分の下辺６が同じ高さで水平となっている時は、その立体マスク用加湿具１が有する前記下部１５の前記三角錐状の部分２３の内部に在る空間３１の中で縦となって存在している筒状の部分１２５、又は、筒状の部材１２４の下先端部であることを特徴とする
【発明の効果】
【００２０】以上説明したように本発明によれば、装着した時は、前記マスク主体部の内側に前記立体マスク用加湿具が存在する形となる立体マスクを人物が装着した場合、その人物の鼻腔入口の下に在るその立体マスク用加湿具の前記下部の前記容器状となっている空間の中に在る温水等が染み込んだ物体から上がる湯気の混ざった空気は、その人物の鼻の上部の皮膚と密着し、前記上部主体部の表面と密着している前記マスク主体部の部分、そして、その人物の鼻の上部の高さのところに在る前記上部の左右の板状の部分の表面が密着している前記マスク主体部の部分からは出ることが出来ず、そして、その人物、即ち、立体マスク装着者が鼻で吸気を行った場合、前記容器状となっている空間の中に在る前記温水等が染み込んだ物体から上がる湯気と、前記容器状となっている空間の中に在る筒状の部材、又は筒状の部分から上がってくる空気と、そして、その人物の皮膚と前記立体マスク用加湿具との隙間から入ってくる前記マスク主体部の網の目をくぐり抜けて入ってきた空気が混ざった高温多湿の空気がその人物の鼻腔入口から入ることになる。
【００２１】又、本発明は、前記マスク主体部の内側に前記立体マスク用加湿具のようなものが存在する立体マスクを装着した人物が口で吐息を行おうとした場合、その立体マスク用加湿具のようなものが有するその人物の口の前に在る部分がその人物の口を塞ぐ状態になっていた場合は、その人物は口で吐息を行うことは極めて困難な状態でなるのであるが、前記立体マスク用加湿具の前記下部は下側が細くなっている略三角錐状の形をしているため、そして、その人物の口とその周りの皮膚と面している状態の三角錐状の部分の後面の、その後面の内で最も広い左右の幅を持っているその後面の上辺は、人物の口の左右の幅よりも狭い左右の幅となるようにつくられており、そして、前記後面の上辺は、その人物の人中と後面の表面が密着している状態のその後面を有する人中の前にくる部分の前に、その人中の前にくる部分と接続する形でその人物の人中と間を設ける形でその人物の人中の前に存在しているので、前記三角錐状の部分の前記後面のその人物、即ち立体マスク装着者の口の前にくるところは、その人物の口の左右の幅よりも狭い左右の幅を持つ前記後面の上辺よりも、さらに狭い左右の幅を持つ後面の部分が存在する形となるので、そして、前記後面は下の位置になればなるほど前側、即ち、その立体マスク装着者の口やその周りの皮膚と離れた状態となるので、人物は楽に口で吐息を行うことが出来ると云うものである。
【発明を実施するための最良の形態】
【００２２】以下本発明の実施形態を図面に基づき詳細に説明する。【００２３】立体マスク用加湿具１は使用されている時は人物の顔に装着された立体マスク２のマスク主体部３の内側に存在する形となっており、そして、前記立体マスク用加湿具１の半分以上の部分は、プラスチック、又はプラスチックのような素材か、又は、水が染み込まないように加工やコーティングされた厚紙、又は厚紙のような部材で出来ており、前記プラスチック、又はプラスチックのような素材、又は厚紙、又は厚紙のような部材で出来ているところは、指で強くその部分を押えた場合、その指で押えたところのみ凹まない硬度を有している。（図２５参照）【００２４】前記立体マスク用加湿具１は、上下に分けると、前記立体マスク用加湿具１が人物に使用されている時は、全体、又は殆どの部分が前記立体マスクのマスク主体部３の内面と密着している状態となっている表面を有する上部１８と前記上部１８とつながった状態で前記上部１８の下に位置し、そして、内部の全体又は殆どの部分か一部の部分が水等の液体を貯めることが出来る空間となっている下部１５とで成っている。（図２、図３、図１０、図１１、図５６、図５７、図５８参照）【００２５】前記上部１８が上、そして、前記下部１５が下になるようにし、そして、前記上部が有する前記左右の板状の部分３６、３９の前記下辺６が同じ高さになるように水平にし、その左右の板状の部分３６、３９の直線状となった前記下辺６から、前にその下辺の延長線を延ばして、その状態を、その立体マスク用加湿具１の横から視た場合、前記左右の板状の部分の下辺の前の延長線７と重なるその立体マスク用加湿具１の部分は、上部と下部との境目のところ、つまり、その延長線と重なる部分から上がその立体マスク用加湿具の上部、そして、下がその立体マスク用加湿具の下部１５であり、そして、前記左右の板状の部分の下辺の水平となって前に延びる延長線と重なる部分の内で最も前に在るその立体マスク用加湿具１の部分は、前記前の縦の線４０の上部の下先端部４２、前記前の縦の線の下部１３８の上先端部４３、そして、前記前の縦の線４０の上部と下部との境目のところ４４であるが、前記前の縦の線４０が二つの直線状の部分で成っているものは、その直線のつなぎ目で直線が折れ曲がっているところが前記前の縦の線の上部と下部との境目のところ４４で、その上部と下部との境目のところは目で視ればすぐに分かることが出来るが、前記前の縦の線がカーブを有しているものの場合は、上で述べているように左右の板状の部分３６  ３９の前記下辺６から前にその下辺の延長線を延ばせばその前の縦の線の上部と下部との境目のところ４４の位置が知ることが出来、そして、前記前の縦の線の上部と下部との境目のところからその立体マスク用加湿具の上先端部８までの前の縦の線の部分が前の縦の線の上部４１であり、つまり、前記立体マスク用加湿具の上先端部８と前記前の縦の線の上先端部４５、前の縦の線の上部の上先端部４６は同じ位置に存在する形となっており、そして、前記左右の板状の部分の前記下辺６が同じ高さとなって水平になった状態の立体マスク用加湿具１を横から視た場合、その立体マスク用加湿具１の下先端部２０は水平とな���ているのであるが、その前記立体マスク用加湿具１が有する前記左右の板状の部分の下辺６が高じ高さで水平となっている時の、前記前の縦の線の上部と下部との境目のところ４４から前記立体マスク用加湿具の水平となった下先端部２０の前先端部２１のところまでのその前の縦の線の部分が、前記前の縦の線の下部１３８、であり、つまり、前記立体マスク用加湿具の下先端部となるところの前先端部２１がその前の縦の線の下先端部４７、そして、前の縦の線の下部の下先端部４８と云うことになり、そして、前記前の縦の線の下部１３８が直線状の場合は、その前の縦の線が垂直となっている時、そして、前記前の縦の線の下部が前側にふくらんだカーブを有している場合は、前記前の縦の線の下部の上先端部と下先端部をつなぐ見えない直線４９が垂直となっている時は、それらの前の縦の線の下部を有する立体マスク用加湿具は垂直となっていることとし、前記立体マスク用加湿具１が垂直となっている時は、前記立体マスク用加湿具１の上部１８の前記左右の板状の部分の下辺６は同じ高さで水平の状態となり、そして、その左右の板状の部分の上辺９は、二辺とも左右対称となる部分が同じ高さとなって、そして、その二つの上辺９は同じ角度で後ろ側に向かって勾配を有して下がる状態となり、前記下先端部２０は水平の状態となって存在する形となる。（図２７、図５、図６、図１２、図２４、図７、図５６、図５７、図５８参照【００２６】上述の前記立体マスク用加湿具１を正面から視た時の前記左側の部分３７と前記右側の部分５０の境目のところは前記立体マスク用加湿具の前の縦の線４０であり、前記前の縦の線４０が線状となっていることが確認できる形状のものはその前の縦の線２０は水平面の切り口は角状となり、又、立体マスク用加湿具１を正面から視ても前記前の縦の線４０が線状となっていることが確認出来ない場合は、その前の縦の線４０の水平面の切り口は、角が削られた状態で丸みを帯びており、垂直となった前記立体マスク用加湿具を水平に切断した場合、前の縦の線の切り口が上から視ると角状となって見えるものは角状の前の縦の線、そして、丸みを帯びて見えるものは丸みを帯びた前の縦の線等と表現し、前記前の縦の線４０には、上部４１と下部１３８の二つの直線で成るもの、そして、前記上部４１と下部１３８で１つのカーブを形成しているものがあるが、前記立体マスク用加湿具１を正面から視た場合、前記左右の板状の部分３６、３９の下辺６が同じ高さで水平となっている時に、その左右の板状の部分３６、３９の下辺６の前に、その左右の板状の部分の下辺６と同じ高さのところを上先端部とする垂直となる部分とも表現する垂直となった部分３０の形が目に見えて分るほどくっきりと現われているものは、前記立体マスク用加湿具１を横から視た場合、直線状の上部４１と直線状の下部１３８から成る前の縦の線４０を有する立体マスク用加湿具１である。（図２、図３、図４、図７、図１６、図１７、図２２、図５４参照）【００２７】  また、立体マスク用加湿具１を横から視た場合に、前記前の縦の線４０の上部４１、そして、下部１３８ともに直線状のものか、又はカーブを有しているものかは確認出来るが、その横から見ている立体マスク用��湿具の前記前の縦の線４０が角状のものか、又は角が削られて丸みを帯びているものかを確認することは困難である。（図５、図６、図２２、図２４参照）【００２８】なお、以後、何の説明もなしに立体マスク用加湿具１と表現する場合は、その立体マスク用加湿具１が有する前の縦の線４０は角状であり、上部４１と下部１３８はカーブを有していないものとする。【００２９】また、以後、左、右、上、下、前、後ろと云う表現が出てくるが、それらの方向等はマスク主体部３の内側に前記立体マスク用加湿具１が存在している立体マスクを装着した人物の顔から見て、その人物の顔の前に存在している立体マスク用加湿具１の各部分がどの方向、どの位置に見えるか、又は在るかを考えて表現することにする。【００３０】  さて、次は、前記立体マスク用加湿具１の前記上部１８について説明する。【００３１】前記上部１８は、上部主体部２２とその上部主体部２２とつながる状態でその上部主体部２２の後方に存在している左の板状の部分３６と右の板状の部分３９とで成っている。（図２、図３、図７、図２４、図２７参照）【００３２】前記立体マスク用加湿具１を垂直にしてま上から視た場合、前記立体マスク用加湿具１はその上部１８の全体の表面が見える形状をしている。（図７、図２７、図２８参照）【００３３】つまり、前記立体マスク用加湿具１を垂直にしてま上から視た場合、後ろに進むに従って左右の間隔を広げる形で存在しているのが前記左の板状の部分３６と右の板状の部分３９であり、それら二枚の板状の部分３６  ３９は垂直や水平となって存在せず、斜め上外側を表面が向いている形で存在しているので、それら３６、３９の表面全体、そして、それらの表面の下に位置する下辺６も上から視ることが出来、また、前記左右の板状の部分３６、３９の前に位置して見えるところが上部主体部２２であるが、前記前の縦の線４０が二つの直線状の部分で成っている場合は、前先端部となって見えるところが前記前の縦の線の下部の上先端部４３でもあり、前の縦の線の上部の下先端部４２でもある。（図７、図２７、図２８、図２９参照）【００３４】また、垂直になった前記立体マスク用加湿具１を上から視た場合の前記左右の板状の部分３６、３９の外側の直線となって見える辺が前記左右の板状の部分３６、３９の下辺６であるが、その直線状の状態が終わるところが前記二つの下辺の後ろ先端部１１であり、また、前記左右の板状の部分３６、３９の内側の辺となって見えるところが上辺９であり、前記二つの上辺９も直線状であり、中央の見えない直線１３９を中心にして左右対称となって後方に開く形で存在しており、それら二つの直線の状態が終わるところが前記上辺の後ろ先端部１０であり前記下辺の後ろ先端部１１と前記上辺の後ろ先端部１０を後ろ側にふくらんだカゴを有してつないでいる形となっている辺が後ろ側の辺１２である。（図７、図２７、図２８、図５参照）【００３５】垂直となった前記立体マスク用加湿具１を、その垂直となった立体マスク用加湿具１のま上となる位置から視た場合、そのま上から見える部分には、後面側を凹とし、Ｕの字の形を用いて表現するとするならば、左右に位置する状態となって存在する縦の直線状の二辺が、その左右���二辺の間に存在する空間の左右の幅を上に行くに従って広くなる形のＵ字状となって存在している部分が在り、前記Ｕの字の下部、即ち、左右に位置する状態で縦となって存在する前記二辺の前先端部どうしをつなぐ形で存在している部分は、上部主体部が有する三角形状の部分２３の、左右の中央の部分が前側に向って凹んでいる形状のカーブ状となっている後辺２４であり、そして、前記Ｕの字の左右に位置する形で縦となって存在している前記二辺は、前記左右の板状の部分の上辺９であり、前記二つの上辺９は、その二つの上辺を挟んで存在する空間の左右の幅の長さを、その二つの辺の前先端部２８どうしをつないだ直線の長さよりも、後ろ先端部どうしをつないだ直線２６の長さの方が長い形となって存在しており、前記三角形状の部分２３は、前記左の板状の部分３６の前記上辺９と前記右の板状の部分３９の前記上辺９とによって作られた、前記立体マスク用加湿具１が垂直となった時は、その垂直となった立体マスク用加湿具１の上先端部となるところが、Ｖの字の下先端部となるＶの字の下先端部とその付近を、上から視ると塞いで見えるようにつくられた部分であり、前記後辺２４も含めた前記三角形状の部分２３は、他の部分と比べると極めて柔らかい状態でつくられており、その理由は、前記立体マスク用加湿具１が内部に存在する形となっている立体マスク２を人物が装着した時に、前記三角形状の部分２３は、その人物の鼻の上部の皮膚に当たる部分であるので、可能な限り、その人物の皮膚にかかる負担を少くするためである。（図２７、図７、図２３、図２８、参照）【００３６】つまり、前記左右の板状の部分３６、３９は、それらの上辺が出ているところどうしをつないだ線２５よりも前記上辺の後ろ先端部どうしをつないだ線２６の長さの方が長い形状をしており、前記三角形状の部分２３の全体は前記上部主体部２２の一部であり、前記上部主体部は、前記立体マスク用加湿具１を垂直にした場合のその立体マスク用加湿具１が有する前記左右の板状の部分３６、３９の前に在るその左右の板状の部分３６、３９の下辺６の高さのところ、つまり、前記下辺６と同じように上部と下部との境目のところ１９よりも上の部分でそして、板状の部分の下辺６が前記上部主体部２２から出ているところと前記上辺が出ているところ２８とをつないだ直線２７よりも前側に存在する部分である。（図７、図２４、図２、図３、図４、図５、図６、図５６、図５８参照）【００３７】次は前記立体マスク用加湿具１の略三角錐状の部分とも呼ばれる下部１５と前記下部１５の内部の空間３１について説明することにする。【００３８】前記下部１５とは、上述の如く前記立体マスク用加湿具１を垂直にした場合のその立体マスク用加湿具１が有する左右の板状の部分３６、３９の前記下辺６の高さのところよりも下に在る部分のことである。（図２、図４、図５参照）【００３９】その垂直となった前記立体マスク用加湿具１の前記左右の板状の部分の下辺が出ているところ２９とその近くとなるところの前記下辺６の下には、その左右の板状の部分３６、３９の下にそれぞれ一体づつの物体が外側から確認することが出来る状態で存在している。（図２、図３、図４、図５、図６参照）【００４���】その二つの物体は人中の前にくる部分５５が有する左右に別れて存在する四角柱状の部分５７、５８であり、その二つの四角柱状の部分５７、５８は、供に水平となった上面９６は、その上に在る水平となった左右の板状の部分３６、３９の下辺６と密着しているか、又は、ほぼ密着している状態となっており、そして、下面９７は前記上面９６と同じく水平であり、そして、前面９８と後面７４は横から視る限りでは垂直となって見える。（図２８、図３、図５、図６、図２６参照）【００４１】その左右に別れる形で存在している前記四角柱状の部分５７、５８は、同じ大きさをしており、それら５７、５８の左右の中央のところに、その左右の四角柱状の部分の内側の上辺６７、又は内側の下辺６８と平行になるように直線１４１を描いた場合、前記左右の四角柱状の部分５７、５８は、その見えない直線１４１を中央にして左右対称となって存在しており、前記立体マスク用加湿具１の一部となって存在している前記人中の前にくる部分５５の前記左右の四角柱状の部分５７、５８を外側横方向から視た場合、前記立体マスク用加湿具が垂直となっていたならば略四角形状、又は略長方形状となって見える。（図３６、図５、図６、図５２、図５８参照）【００４２】前記立体マスク用加湿具１の一部となって存在している前記人中の前にくる部分５５は、前記立体マスク用加湿具本体４に取り付けられている状態となっており、前記人中の前にくる部分５５が、前記立体マスク用加湿具１の一部となって存在している状態は、前記人中の前にくる部分５５が有する前記左右の四角柱状の部分５７  ５８には前面側に在るところは空いており後面側に在るところは塞がれている形状をした縦長の孔７３が存在しており、その二つの孔７３の中に、立体マスク用加湿具本体が有する板状の左右の後ろ側にはみ出た部分３８、５１が上下は隙間を空けた状態、そして、内外の側面１３、１４は、前記孔７３の内外の内側面８０、８１と密着した状態で存在している。（図３０、図３３、図３５、図３９、図５２参照）【００４３】前記人中の前にくる部分５５は前記立体マスク用加湿具１から取り外すこと、そして、前記立体マスク用加湿具本体４に取り付けることが出来るのであるが、〔００４４〕は、前記人中の前に来る部分５５を前記立体マスク用加湿具１から取り外す方法と、前記人中の前にくる部分５５の形状、及び、構造について説明することにする。【００４４】前記立体マスク用加湿具１の一部となっている前記人中の前に来る部分５５を前記立体マスク用加湿具１から取り外す方法は、上述のように、前記人中の前にくる部分５５が前記立体マスク用加湿具１に装着されている時の状態は、前記立体マスク用加湿具本体４が有する前記左右の後ろ側にはみ出た部分３８、５１が、前記左右の四角柱状の部分が有する前記孔７３の中に、上と下１７は隙間を設けて、そして、前記左右の後ろ側にはみ出た部分３８、５１の内外の側面１３、１４が前記孔７３の内外の内側面８０、８１と密着している状態となっているので、前記左右の後ろ側にはみ出た部分の上面１６と前記孔の上に在る下を向いた面７６とに空く隙間、そして、下面１７と前記孔７３の下に在る上を向いた面７７とに空く隙間を無くさない��うにして左右の前記後ろ側にはみ出た部分３８、５１の内外の側面１３、１４と前記孔７３の内外の内側面８０、８１との間に隙間を設ければ簡単に前記人中の前にくる部分５５は、前記立体マスク用加湿具１から取り外すことが出来る。（図２４、図２９、図３９、図４１、図４３、図５１、図５２参照）【００４５】その、左右の前記後ろ側にはみ出た部分３８、５１の上面１６と前記孔７３の上に在る下を向いた面７６とに空く隙間、そして、左右の前記後ろ側にはみ出た部分３８、５１の下面１７と前記孔７３の下に在る上を向いた面７７とに空く隙間を無くさずに前記左右の後ろ側にはみ出た部分３８、５１の前記内外の側面１４、１３と前記孔７３の内外の内側面８０、８１との間に隙間をつくる方法は、例えば指等で前記四角柱状の部分５７、５８の上下から中央に力を加える方法で簡単に出来、その方法は、前記人中の前にくる部分５５を、前記立体マスク用加湿具本体４に取り付ける時にも用いることが出来、前記人中の前にくる部分５５を前記立体マスク用加湿具１から取り外す方法の一例には、前記立体マスク用加湿具１の前記前の縦の線４０の下部１３８を下に向かせて水平、またはほぼ水平にした状態にして、そして、片方の手の親指と人差し指で前記人中の前にくる部分５５の左右いづれかの四角柱状の部分の前記上面９６と前記下面９７をつまみ、そして、もう片方の手の親指と人差し指でもう片方の前記四角柱状の部分の前記上面９６と前記下面９７をつまんで前記立体マスク用加湿具１を空中に浮かし、そして、両手の人差し指と親指で前記左右の四角柱状の部分５７、５８をつまんでいる力を強くして前記四角柱状の部分の上面９６と下面９７の距離を短くすれば前記四角柱状の部分に在る前記孔７３の上下幅が短くなり、そして、前記孔７３の内外の内側面８０、８１が外側にふくらむ形となるので前記立体マスク用加湿具本体４が有する後ろ側にはみ出た部分の内外の側面１３、１４と前記孔７３の内外の内側面８０、８１には隙間が生じるために、前記立体マスク用加湿具本体４は、前記人中の前にくる部分５５から外れて下に落ちると云うものであり、そして、前記人中の前にくる部分５５を前記立体マスク用加湿具本体４に取り付ける方法の一例としては、机等の水平な平面状のところに本等を利用して下に向って凹んだ形状のところをつくってその凹んだ形状のところに前記前の縦の線の下部１３８が下を向いた状態の前記立体マスク用加湿具本体４を置き、そして、前記両手の親指と人差し指で強い力でつままれることによって上下幅が縮まる形状となった左右の前記四角柱状の部分５７、５８の左右の幅が広くなった前記孔７３の中に、上を向いた状態の前記立体マスク用加湿具本体４が有する二つの後ろ側にはみ出た部分３８、５１を入れた後、その左右の四角柱状の部分５７、５８をつまんでいる親指と人差し指をその左右の四角柱状の部分５７、５８から手を離すと云うものである。（図２９、図２４、図３０、図２８、図３９、図５２、図４３参照）【００４６】前記立体マスク用加湿具１の一部となっている前記人中の前にくる部分５５を、前記立体マスク用加湿具１から、前記立体マスク用加湿具１の一部となっている時の形状のまま、即ち、前記左右の四角柱��の部分５７、５８の間隔の長さを前記人中の前にくる部分５５が前記立体マスク用加湿具１の一部となっていた時のまま取り外し、その人中の前にくる部分５５を左右の前記四角柱状の部分５７、５８の前記下面９７が下になるように机のような水平で平面状のところに置いて、その人中の前にくる部分５５を持っていた手をその人中の前にくる部分５５から離した場合、前記左右の四角柱状の部分５７、５８は、前記左の四角柱状の部分５７と前記右の四角柱状の部分５８との間に張って存在している膜状の後面５９や膜状の下面６０によって中央に引き寄せられることなく、前記左右の四角柱状の部分５７、５８は、その左右の四角柱状の部分５７、５８を有する前記人中の前にくる部分５５が前記立体マスク用加湿具１の一部となっていた時の間隔のまま、その水平で平面状のところに存在することとなる。（図３６、図３９、図５１、図５２参照）【００４７】下の〔００４８〕からは、前記水平で平面状のところに置かれた状態で前記人中の前にくる部分５５の構造を説明するのであるが、その前記人中の前にくる部分５５の構造は、前記左右の四角柱状の部分５７、５８と前記膜状の部材６１とに分けて説明する方が分りやすいので、下の〔００４８〕では前記左右の四角柱状の部分５７、５８について説明するが、その説明方法は、机の表面のような水平な平面状のところに、前記下面９７が下になるようにその下面９７を有する前記左右の四角柱状の部分５７、５８を置き、その左の四角柱状の部分５７と、その右の四角柱状の部分５８が平行となって存在し、そして、その左の四角柱状の部分５７と右の四角柱状の部分５８との間の距離が前記立体マスク用加湿具１の一部となって存在していた時の前記人中の前にくる部分５５の前記膜状の下面６０や、前記膜状の後面５９の左右の幅、即ち、横幅と同じ長さの距離であれば、前記右の四角柱状の部分５８と、前記左の四角柱状の部分５７は、垂直となった前記立体マスク用加湿具１に取り付けられている前記人中の前にくる部分５５の一部となって存在している時と同じ状態となっていることであり、下の〔００４８〕からは暫く上で述べているように前記左右の四角柱状の部分５７  ５８を垂直となった前記立体マスク用加湿具１が有する前記人中の前にくる部分５５の一部となって存在している時と同じ状態にして説明することにする。（図３６、図３９、図５１、図５２参照）【００４８】そして、上の〔００４７〕で述べているように、前記左右の四角柱状の部分５７、５８が前記立体マスク用加湿具１に取り付けられている前記人中の前にくる部分５５の一部となっている時と同じ状態になった、即ち、前記立体マスク用加湿具１に取り付けられている状態の前記人中の前にくる部分５５から前記膜状の下面６０と前記膜状の後面５９が大部分を占めている形状の四角形状の膜状の部材６１を取り除いた状態の前記左右の四角柱状の部分５７  ５８を、その左右の四角柱状の部分５７  ５８が有する下面９７が下になるように水平な平面状のところに置いた場合、前記左の四角柱状の部分５７と前記右の四角柱状の部分５８の間の中央となるところに、その左右の四角柱状の部分の内側の上辺６８、又は内側の下辺６８と平行になるように見えない直��１４１を描いた場合、その左右の四角柱状の部分５７  ５８は前記見えない直線を中央にして左右対称となって、左右の違いこそあれ同じ形状で同じ大きさ、そして、同じ高さとなっている状態で存在しているので、例えば、前記左の四角柱状の部分５７を説明する場合、表現によっては前記右の四角柱状の部分５８を説明することと同じことになるので、以後、暫くは、その二つの四角柱状の部分５７  ５８に共通する表現を用いて、左の、そして、右の、と云う表現を省いて四角柱状の部分５７  ５８と云う表現を用いて説明することにする。（図３６、図３９、図５１、図５２、図３５参照）【００４９】  上の〔００４８〕の状態で水平な平面状のところに置かれた前記四角柱状の部分５７  ５８は、水平で平面となっている上面９６、垂直となっている前面９８、後面７４、内側横面６９、外側横面１０２と、そして、下面９７が表面となる形で存在している。（図３０、図３１、図３２、図３３、図３４、図３５、図３６、図３７、図３８、図３９、図４１、図４２、図４３、図５１、図５２参照）【００５０】そして、上の〔００４８〕の状態で存在している前記四角柱状の部分５７  ５８の前記前面９８の状態と形状は、垂直で平面状となっている前記前面９８の左右の中央のところには、縦長の前記孔７３の入口が存在しており、そして、その前面９８の上端には、全体が上先端部となる、即ち、水平となっている上辺９９が在り、その上辺９９の内側の端からは垂直に下に延びる形で内側の縦の辺７０が在り、そして、その上辺９９の外側の端からは垂直に下に延びる外側の縦の辺１００が在り、前記外側の縦の辺１００の下先端部１０１は、前記水平で平面状のところと着いている状態となっているが、前記内側の縦の辺７０の下先端部７１は、前記水平な平面状のところと着く寸前のところで水平となる形で前記外側の縦の辺１００の方に折れ、前記孔７３の入口７８の内の内側面８０のま下のところで垂直に折れて下に延びてその下先端部１４２は前記水平な平面状のところに着いた状態となっており、その縦の線状となっているところは下辺の外側の部分と下辺の内側の部分との境目の部分１０３であり、つまり、その下辺の外側の部分と下辺の内側の部分との境目の部分１０３よりも内側に在るわずかに空中に浮いている部分が下辺の内側の部分１０４であり、そして、その下辺の外側の部分と下辺の内側の部分との境目の部分１４２から外側で前記外側の縦の辺の下先端部１０１と水平となって直線状でつながり、全体が前記水平な平面状のところと密着している部分が下辺の外側の部分１０５である。（図４０、図３０、図３６、図３８、図５２参照）【００５１】前記略四角柱状の部分５７、５８が前記人中の前にくる部分の一部となった時、つまり、水平な平面状のところに置かれた前記四角柱状の部分５７  ５８の空中に浮いている前記下辺の内側の部分の下に前記膜状の部材６１が入っている状態となっている時は、その膜状の部材の横端の部分６２の一部は前記下辺の外側の部分と下辺の内側の部分との境目の部分１０３と、前記膜状の部材６１の横端付近の表面と前記下辺の内側の部分１０４は接着剤等で接続されて存在している状態となっており、前記膜状の部材６１の裏面６４は前記水平な平面状のところと密着する状態となって前記下辺の外側の部分１０５と段差無く水平な横一線の状態で存在している。（図３１参照）【００５２】そして、上の〔００４８〕の状態で水平な平面状のところに置かれた前記四角柱状の部分５７、５８をその四角柱状の部分５７  ５８のま上から視た場合、見えるのはその四角柱状の部分の前記上面９６であるが前記上面９６は全体が水平で平面状となっており、その前先端部となるところは、全体が前先端部となる前記前面の上辺９９であり、その前面の上辺９９の内側の端からは、水平となってその前面の上辺９９と直角となって後方に内側の上辺６７が直線状となって延びており、そして、前記前面の上辺９９の外側端からは、前記前面の上辺９９と直角に、そして、水平に後方に向って外側の上辺１０６が延びており、前記外側の上辺１０６は前記内側の上辺６７よりも長くなっており、その前面の後ろ側となる後面の上辺８２は全体的に内側の方が前になる形の斜めとなって存在しているのであるが、前記外側の上辺の後ろ先端部１４３と前記内側の上辺の後ろ先端部１４４をつなぐ形で存在している前記後面の上辺８２は、後面の上辺の内側の部分８３と後面の上辺の外側の部分８４が在り、上から視ると直線状となって見えるその二つの部分８３、８４は一直線状にはなっておらず、その二つの部分８３、８４は、互いに平行の角度となっている状態で、前記外側の上辺１０６、又は、前記内側の上辺６７と平行となっている直線の状態で、長さが前記膜状の部材の厚さと同じの後面の上辺の内側の部分と後面の上辺の外側の部分との境目の線８５で前記後面の上辺の内側の部分８３が前記後面の上辺の外側の部分８４よりも前側に存在する形でつながった状態となっており、その上面９６と後面７４を有する四角柱状の部分５７、５８が前記人中の前にくる部分５５の一部となった時、即ち、前記四角柱状の部分５７  ５８と前記膜状の部材６１が接続された状態になった時は、前記後面の上辺の内側の部分と後面の上辺の外側の部分との境目の線８５は、前記膜状の部材６１の後ろ角６５も含めた横端の部分、そして、前記後面の上辺の内側の部分８３は前記膜状の部材の表面の後ろ端の部分６２とその付近の部分と接着剤等で接続された状態となっており、そして、前記後面の上辺の外側の部分８４と前記後面の上辺の内側の部分８３と接続された状態となっている前記膜状の部材６１の裏面の後ろ端の部分６６は上から見ると一直線になって見える状態となっており、そして、後面の上辺の内側の部分と後面の上面の外側の部分との境目の線８５の延長線を前記上面の表面に前記前面の上辺まで続く形で描いた場合、その上面の表面に描かれた延長線の大部分となるところのま下には、前記孔７３の内側面８０が存在する状態となっている。（図３２、図３４、図３５、図３６、図３７、図４１、図５１、図５２、図４２参照）【００５３】  そして、上の〔００４８〕の状態となった前記四角柱状の部分５７  ５８の前記後面７４の形状は、後ろから視ると内側の面８６と外側の面８７だけが在るように見えるが、その内側の面８６と外側の面８７は、前後幅の長さが前記膜状の部材６１の厚さと同じ長さである外側の面と内側の面をつなぐ面８８でつなが���た状態となっており、前記外側の面の上は、全体がその外側の面の上先端部となる、即ち、水平となっている前記後面の上辺の外側の部分８４であり、そして、前記内側の面８６の上には、全体がその内側の面の上先端部となる、即ち、水平となっている前記後面の上辺の内側の部分８３が在り、そして、前記外側の面と内側の面をつなぐ面８８の上には、全体がその外側の面と内側の面をつなぐ面の上先端部となる、即ち、水平となっている前記後面の上辺の内側の部分と後面の上辺の外側の部分との境目の線８５が存在しており、前記内側の面８６、前記外側の面８７、そして、前記外側の面と内側の面をつなぐ面８８の三面は垂直となって存在している。（図３３、図３４、図３２、図３５、図３６、図３８、図５１、図５２参照）【００５４】そして、前記後面の外側の面８７の外側の端であり、そして、前記外側横面１０２の後ろ端でもある垂直に縦となって存在している線状の部分が後面の外側の縦の辺８９であり、そして、前記後面の内側の面８６の内側の端であり、そして、内側横面６９の後ろ端の部分でもある垂直となって存在している線状の部分が後面の内側の縦の辺９０であり、そして、前記後面の外側の面８７の内側の端で垂直で縦となって存在している部分が後面の外側の面の内側の縦の辺９１であり、そして、前記後面の内側の面の外側の方向で縦となって端に存在している部分が後面の内側の面の外側の縦の辺９２であり、その後面の外側の面の内側の縦の辺９１と前記後面の内側の面の外側の縦の辺９２を前後の端として存在している面が前記後面の内側の面と後面の外側の面をつなぐ面８８である。（図３３、図３４、図３５、図３２、図３８、図４０、図５１、図５２参照）【００５５】水平となって存在し、前記後面の外側の面８７の下先端部である後面の下辺の外側の部分９３、そして、その後面の下辺の外側の部分９３と続いた形で水平となって存在し、前記後面の外側の面と内側の面をつなぐ面の下先端部である下面の外側の面の内辺１０７の最後部とその付近となる部分は、それらの下に在る前記水平な平面状のところと密着しているが、水平となって存在し、前記後面の内側の面８６の下先端部である後面の下辺の内側の部分９４は、その下に在る前記水平な平面状のところの部分と隙間を設けて存在しており、その隙間、即ち、前記後面の下辺の内側の部分９４と水平な平面状のところとの最短距離は、前記前面の下辺の内側の部分１０４と前記水平な平面状のところとに空く隙間の長さと同じであり、その後面７４を有する四角柱状の部分５７  ５８が前記人中の前にくる部分５５の一部となった時、即ち、その後面を有する四角柱状の部分５７、５８と前記膜状の部材６１が接続された状態となった時は、前記後面の外側の面と内側の面をつなぐ面８８のほぼ全ての部分は前記膜状の部材の後ろ角のところ６５も含めた前記横端の部分と、そして、前記後面の内側の面８６は、前記膜状の部材６１の後部の横端に近いところの表面と接着剤等で接続された状態となって存在することとなり、そして、人中の前にくる部分の後面１３７は、前記膜状の後面６１と前記四角柱状の部分の後面７４がつながった状態でつくられることとなる。（図３６、図３７、図３５、図３４、��３３、図４０、図４１、図５１、図５２参照）【００５６】手に持つ等の手段により、空中に浮んだ状態をつくり、そして、前記上面９６が水平になった状態の前記四角柱状の部分５７  ５８を前記四角柱状の部分５７  ５８のま下から視た場合、その四角柱状の部分５７  ５８の下面の全体が見えるのであるが、外側になっている面状の部分が下面の外側の面１０８であり、その下面の外側の面１０８の内側に在って面状となって見える部分が下面の内側の面１０９であり、前記下面の外側の面１０８は、横の外側に在る外側の下辺７９前記前面の下辺の外側の部分１０５、前記後面の下辺の外側の部分９３、そして、前記下面の外側の面の内辺１０７に囲まれた状態で存在しており、前記下面の内側の面１０９は前記後面の下辺の内側の部分９４、内側の下辺６８前記前面の下辺の内側の部分１０４、そして、前記下面の外側の面の内辺１０７のま上に在る下面の内側の面の外側の辺１４６に囲まれて存在しており、前記下面の外側の面１０８と前記下面の内側の面１０９を有する四角柱状の部分５７  ５８をその四角柱状の部分５７  ５８が有する上面９６が上になるように水平な平面状のところに置いた場合、前記下面の外側の面１０８の全ては前記水平な平面状のところの部分と密着した状態となっており、そして、前記下面の内側の面１０９は、前記後面の下辺の内側の部分９４や前記前面の下辺の内側の部分１０４と同じ高さとなって空中に存在する形となっている。（図３８、図３９、図３０、図３２参照）【００５７】前記四角柱状の部分５７  ５８を〔００４８〕と同じ状態にして、その四角柱状の部分５７  ５８の内側となる位置からその四角柱状の部分を視た場合、いくつかの縦となって存在しているように見える、そして、平面となっているように見える部分の内で前方上側に広い面積となって存在し、最も近くに見える面が内側横面６９であり、そして、その内側横面６９の下に奥の位置、つまり、前記内側横面６９よりも前記外側横面１０２に近い位置で前記下面の内側の面の外側の辺１４６を上先端部とし、そして、前記下面の内側の面の外側の辺１４６と、同じように水平となっている前記下面の外側の面の内辺１０７を下先端部とし、そして、高さ、即ち、上下幅の長さが前記膜状の部材６１の厚さと同じで、そして、前先端部を前記前面の下辺の外側の部分と前面の下辺の内側の部分との境目の部分１０３とし、そして、後ろ先端部が、前記後面の内側の面の外側の縦の辺の下に延びる延長線９５の位置に在って垂直となって存在している前が内側の影の面７２であり、その内側の影の面７２を有する四角柱状の部分５７  ５８が、前記人中の前にくる部分５５の一部となった時、即ち、前記四角柱状の部分５７  ５８と前記膜状の部材６１が接続された状態となった時は、縦となった形で存在している前記膜状の部材６１の後部の裏面６４の横端の部分６２が前記後面の外側の面の内側の縦の辺９１の下先端部以外の大部分のところと左右に重なる状態となり、そして、前記内側の影の面７２は、前記膜状の部材６１の前記横端の部分６２と密着し、そして、前記下面の内側の面１０９の全体は、前記膜状の部材６１の前記横端の部分６２の内側に位置する表面と密着している状態となり、そし��、前記膜状の部材６１の前先端部１４７とその付近の部分は、前記四角柱状の部分５７  ５８の前面９８のところから前方へはみ出た状態となる。（図３０、図３１、図３３、図３４、図３６、図３７、図３８、図３９、図４０、図５１、図５２参照）【００５８】そして、前記四角柱状の部分５７  ５８と前記膜状の部材６１が接続された状態となって前記人中の前にくる部分５５となった時は、前記膜状の部材６１の前記左の四角柱状の部分５７の前記後面の内側の縦の辺９０と前記右の四角柱状の部分５８の前記後面の内側の縦の辺９０との間に在る部分が前記膜状の後面５９であり、そして、前記膜状の部材６１の前記左の四角柱状の部分５７の前記内側の下辺６８と前記右の四角柱状の部分５８の前記内側の下辺６８との間に在る部分が前記膜状の下面６０であり、そして、前記膜状の部材６１の前記膜状の後面５９と前記膜状の下面６０の境目の折り曲げられているところの後ろとなる位置に在る裏面の角が取られて丸みを帯びているところは、前記四角柱状の部分５７  ５８の前記下面の外側の面の内辺１０７の後ろ先端部、即ち、前記後面の外側の面の内側の縦の辺９１の下先端部１４９よりもほんの少し前側に在る。（図３４、図３６、図３５、図３７、図３３、図４０、図３９参照【００５９】また、前記膜状の部材６１は各々の図面では実際よりもかなり厚く描いており、従って前記四角柱状の部分５７  ５８の前記膜状の部材６１の入る部分の上下幅、又は場所によっては前後幅の長さも他の部分の比率に比べて高い比率で描いている。（図３０、図３３、図３９等参照）【００６０】また、前記人中の前にくる部分５５が前記立体マスク用加湿具１の一部となり、その人中の前にくる部分５５を有する前記立体マスク用加湿具１が前記マスク主体部３の内側に存在している形となっている立体マスクを人物が装着している場合、その立体マスク装着者の顔の形状が鼻の左右の端よりも唇の左右の端の方が外側に位置している場合に限られるのであるが、前記人中の前にくる部分５５の前記左右の四角柱状の部分５７、５８の左右の端に位置している前記後面の外側の縦の辺８９は、その人物の唇の左右の端の部分にかかる縦の線１５０と鼻の左右の端の部分にかかる縦の線１５１の前記唇の左右の端側の間のところの皮膚と密着する状態となるのが理想的である。（図４１、図１８、図１９、図２０、図２１、図５５、図５９参照）【００６１】また、前記人中の前にくる部分５５の前記四角柱状の部分５７  ５８は弾力性の有る素材でつくられており、そして、前記膜状の部材６１は、前記マスク主体部３の内側に前記立体マスク用加湿具１が存在している立体マスクを人物が装着している時はその人物の顔の人中と強く密着している状態となっているので、前記膜状の部材６１はその人物の人中にかかる負担を出来るだけ少くするために極めて柔らかく、そして、伸縮性に優れた素材によってつくられている。（図４２参照）【００６２】そして、前記人中の前にくる部分５５の前記左右の四角柱状の部分５７、５８が有する前記孔７３の中に、前記立体マスク用加湿具本体４の前記左右の後ろ側にはみ出た部分３８、５１が入っている状態となって前記人中の前にくる部分５５が前記立体マスク用加湿���１の一部となっている時の状態は、前記人中の前にくる部分５５の前記左右の四角柱状の部分５７  ５８の前記上面９６は、その人中の前にくる部分５５を有する前記立体マスク用加湿具１が垂直となっている場合は水平となって、水平となっている前記左右の板状の部分の下辺６の前部と密着している状態となっており、そして、前記上面９６が水平となって前記左右の板状の部分の下辺６と密着している状態をつくり出すことにより、その上面９６の下に在るその左右の四角柱状の部分５７  ５８の下面９７は水平となって前記三角錐状の部分１１８の前記後面の上面１１０とほぼ同じ高さとなり、前記膜状の部材６１の前記膜状の下面６０となっているところよりも前の部分、即ち、前記膜状の部材６１の前記左右の四角柱状の部分５７、５８の前面９８よりも前に在るところの内で最も後ろ側となるところも含めた部分の裏面６４は、前記三角錐状の部分の後面の上面１１０と密着した状態となっており、そして、その裏面６４と前記三角錐状の部分の後面の上面１１０が密着しているところから前側の前記膜状の部材６１の前先端部１４７までの部分は、下側に折れる形でその裏面６４は前記三角錐状の部分の前記後面１１５の上部の前側を向いた内面１１１と密着している状態となっている。（図４３、図４４、図１０、図１１、図１２、図５、図６参照）【００６３】前記立体マスク用加湿具１の前記下部の内部の空間３１は、三つの空間がつながった状態で、その下部の内部の空間３１をつくっており、その三つの空間とは、例えば、前記立体マスク用加湿具１を垂直にした場合、その垂直となった立体マスク用加湿具１が有する前記人中の前にくる部分５５の水平となった前記左右の四角柱状の部分の下面９７と同じ高さで水平となっている状態の前記左右の側の部分３７、５０の垂直となった部分の下先端部３２と前記三角錐状の部分１１８の前記後面１１５の上面１１０に囲まれて存在しているそれらと同じ高さの水平面の空間を上先端部、そして、下部の内部の空間の下先端部５４を下先端部として前記三角錐状の部分１１８の前記左右の側面１２９、１３３の内面と前記三角錐状の部分１１８の前記後面１１５の内面に囲まれて存在している三角錐状の部分の内部に存在する空間１２０を一つの空間とし、そして、上先端部を前記下部の内部の空間３１の上先端部５３でもあり、前記上部１８の下先端部でもあり、前記上部と下部との境目のところ１９でもある水平となった状態の前記垂直となった部分３０の上先端部とし、そして、下先端部を前記三角錐状の部分の内部に存在する空間１２０との境目のところでもある前記三角錐状の部分の内部に存在する空間の上先端部そして、前先端部を前記垂直となった部分３０と同じ長さの上下幅の下部の上部１４０に在る前記前の縦の線４０の部分の裏側となって存在する内面、そして、後ろ先端部を人中の前にくる部分の内部に存在する空間との境目のところ３３として、前記垂直となった部分３０の内面に挟まれた形で存在している空間を三角錐状の部分の内部に存在する空間の上に在る空間３４として一つの空間とし、そして、もう一つの空間は、上先端部を前記人中の前にくる部分の前記左右の四角柱状の部分５７、５８の上面９６と前記人中の前にくる部分の膜状の部材６１の膜状の後面５９の上先端部の状態となっている膜状の部材の後ろ端の部分６６を水平な平面状となってつなぐ形で存在する四角形状の空間、そして、下先端部を前記膜状の部材６１の膜状の下面６０の表面６３、そして、後ろ先端部を前記膜状の後面５９の表面６３、そして、前先端部を前では人中の前にくる部分の内部に存在する空間との境目のところ３３と表現している三角錐状の部分の内部に存在する空間の上に在る空間との境目のところ３３として前記左右の四角柱状の部分５７、５８の二つの内側横面６９に挟まれた形で存在する人中の前にくる部分の内部に存在する空間１６３であり、前記下部の内部の空間３１はそれら三つの空間１２０、３４  １６３がつながった状態で存在しており、前記下部の内部の空間３１の上先端部５３は常に上を向いて空いている状態となって存在している。（図１０、図１１、図１４、図１６、図１７、図４５参照）【００６４】前記下部１５は下の位置になればなるほど周囲の長さが短くなる形状の前記三角錐状の部分１１８の上に、前記三角錐状の部分１１８とつながった形で垂直となった板状の垂直となった部分３０と前記人中の前にくる部分５５が存在している形で略三角錐状となっているのであるが、下の〔００６５〕からは前記三角錐状の部分１１８について説明することにする。（図２、図３、図４、図５、図１４参照）【００６５】  垂直となっている前記立体マスク用加湿具１をその立体マスク用加湿具１の正面となる位置から視た場合、前記下部１５の左右の中央に垂直となって見える  縦の線が確認出来る形状のものは、前記前の縦の線の下部１３８は角状となっており、また、前記下部１５の中央に垂直となって見える縦の線が確認出来ない形状となっているものは、前記前の縦の線の下部１３８は角が削られている形状となっているものであり、前記下部１５の前記三角錐状の部分１１８の前の縦の線４０のところは、その三角錐状の部分１１８の左側面１２９と右側面１３３がつながっているところである。（図３、図４、図１８、図１９、図５３、図５４参照）【００６６】または、垂直となった前記立体マスク用加湿具１を左横、又は右横から視た場合、前端の垂直となっているところが、下の大部分のところが前記三角錐状の部分１１８の前記左側面１２９と前記右側面１３３が交わるところである前記前の縦の線の下部１３８であり、前記三角錐状の部分１１８は、前記垂直となった部分３０の下先端部３２を上先端部１２２とし、水平となって見える前記立体マスク用加湿具の下先端部２０を下先端部とし、そして、前記三角錐状の部分の左側面１２９の下先端部１１９の後ろ先端部１３１、又は、前記三角錐状の部分１１８の右側面１３３の下先端部１３４の後ろ先端部１３５から斜め上後方に向って前記人中の前にくる部分５５の左右いづれかの前記四角柱状の部分の下面９７の前先端部と触れるように見えるところまで延びている直線の辺が、前記三角錐状の部分１１８の前記後面１１５の左端の辺１１３でもある左側面の後辺１３２、又は、前記後面の右端の辺１１４でもある前記右側面の後辺１３６である。（図５、図１０、図４４参照）【００６７】垂直となった前記立体マスク用加湿具１を後ろから視た場合、前記三角錐状の部分１１８の前記後面の右端の辺１１４と前記後面の左端の辺は前記人中の前にくる部分５５の前記左右の四角柱状の部分５７、５８の下面９７と触れる状態となって左右対称となる形で上の位置になればなるほど互いの距離を広げる形で延びている。（図２６参照）【００６８】垂直になった前記立体マスク用加湿具１の前記三角錐状の部分の後面１１５の状態と形状は水平の状態で三角形状となっている前記立体マスク用加湿具１の下先端部２０でもある前記三角錐状の部分の下先端部１１９の内の左側面の下先端部１３０の後ろ先端部１３１と右側面の下先端部１３４の後ろ先端部１３５をつなぐ直線の状態となって存在している前記後面１１５の下先端部１１６から左右の幅を広げながらその後面１１５の前記左右の端の辺１１３、１１４が前記左右の側面１２９、１３３とつながった状態を保ちながら斜め上後方に向って前記人中の前にくる部分５５の前記左右の四角柱状の部分５７、５８の前記下面９７と触れるところまで延びており、その後面１１５の上先端部である水平となって存在する上面１１０は、前記人中の前にくる部分５５の前記膜状の下面６０の前に在る前記膜状の部材の裏面６４と密着している状態となっている。（図１２、図２４、図２６、図４４、参照）【００６９】そして、板状の前記左右の側面１２９、１３３と前記後面１１５とによって造られている前記三角錐状の部分の内部に存在する空間１２０にはその三角錐状の部分１１８を有する前記立体マスク用加湿具１が垂直になっている時には、外の周りの部分が同じように垂直となっている筒状の部材１２５、又は前記前の縦の線の下部１３８の内側のところを一部として形成している筒状の部分１２５が在り、例えば、手に持つ等の手段で垂直となって空中に浮いている状態となっている前記立体マスク用加湿具１を、その立体マスク用加湿具１の下となる位置から視た場合、その立体マスク用加湿具１の下先端部２０となる水平となって存在する下面には円形状、又は三角形状の孔が存在しており、前記孔は前記筒状の部材１２４、又は筒状の部分１２５の下先端部１２６であり、また前記孔、即ち、前記筒状の部材１２５、又は筒状の部分１２５の下先端部１２６  １２７は、それら１２４、１２５の上先端部１２７と同じように何にも塞がれていない状態となっている。（図４５、図４６、図８、図９、図１０、図１１、図１６、図１７参照）【００７０】前記立体マスク用加湿具１の下部１５の内部に在る前記下部の内部の空間３１の、前記立体マスク用加湿具１が垂直の状態になった時の、前記人中の前にくる部分５５の前記左右の四角柱状の部分５７、５８、の前記上面９６と同じ高さに在るところ、即ち、前記下部と上部の境目のところ１９と同じ高さに在るところに在るその下部の内部の空間３１の上先端部５３と、そして、その下部の内部の空間３１の中に在る前記筒状の部材１２４、又は筒状の部分１２５の上先端部１２７は常に空いている状態となっており、垂直となった前記立体マスク用加湿具１が有する前記下部１５の内部に存在する前記下部の内部の空間３１の内部に上から水等の液体を前記筒状の部材１２４、又は筒状の部分１２５を外す形で注いだ場合、その水面、即ち、水等の液���の表面が前記筒状の部分１２５の上先端部１２７、又は筒状の部材１２４の上先端部１２７よりも、下の位直に在る場合は、前記水等の液体は決して前記下部の内部の空間３１から外に漏れだすことがない構造をその下部の内部の空間３１はしている。（図４５、図４６参照）【００７１】そして、前記立体マスク用加湿具１の前記下部の内部の空間３１の内の前記空間１２０に存在する前記筒状の部分１２５、又は筒状の部材１２４の前記下先端部１２６の近くの内部のところには、他の内部の部分と比べて一か所だけ狭くなっているところが在り、その狭くなっているところ１２８が前記内部に存在している理由は前記筒状の部分１２５、又は、筒状の部材１２４の前記下先端部１２６の孔から入ってくる空気の流れを止めるためにその内部に挿入された栓の役目を果たす物体１２３をその狭いところで留めるためであり、そして、その弾力性の有る前記栓の役目を果たす物体１２３の上下幅の中央のところをその狭いところに存在させることでその栓の役目を果たす物体１２３が前記筒状の部分１２５、又は、筒状の部材１２４から外に出る状態になることを防ぐためである。（図１０、図１１、図１４、図１６、図１７、図４５、図４６参照）【００７２】今迄説明してきた前記立体マスク用加湿具１は、前記三角錐状の部分の内部に存在する空間１２０の内部に在る前記筒状の部分１２５、又は筒状の部材１２４の外の周りに前記温水等が染み込んだ物体を存在させる形のものであり、前記立体マスク用加湿具の中には内部に温水等が染み込んだ物体が在る耐水性の有る素材でつくられた袋状の物体を前記下部の内部の空間３１に固定された状態で存在させるための、その袋状の物体１６２の口部１６３の数か所の丸められた部分１６４を内側から外側へと挿入して貫通させるための複数の孔３５を前記垂直となった部分３０に存在させているものが在り、前記垂直となった部分３０に前記複数の孔３５が在る前記立体マスク用加湿具１の前記下部の内部の空間３１が有する前記三角錐状の部分の内部に存在する空間１２０には前記筒状の部材１２４や前記筒状の部分１２５等は存在せず、前記垂直となった部分３０に存在している前記複数の孔３５の内の前記袋状の物体１６２の口部の丸めた部分１６４等内部に何も入っていない前記孔３５は、前記マスク主体部３の内側に、前記垂直となった部分３０に前記複数の孔３５が存在している前記立体マスク用加湿具１が存在している立体マスク２を装着した人物が吸気を行った時に外部に在る空気を内部に取り入れる役目を果たすこととなる。（図１２、図１５参照）【００７３】そして、前記三角錐状の部分の内部に存在する空間１２０に在る、内部に栓の役目を果たす物体１６５が在る前記筒状の部分１２５、又は筒状の部材１２４を有する前記下部１５を有する前記立体マスク用加湿具１が前記マスク主体部３の内側に存在している立体マスク２を人物が装着している場合、その人物が鼻で吸気を行った場合は、外から前記立体マスクのマスク主体部３の網の目をくぐり抜けてそのマスク主体部３の内側に入ってきた空気が、前記立体マスク用加湿具１の前記上部１８の前記左右の板状の部分３６、３９の前記上辺９が出ているところ２８とその付近の上辺９とそ���人物の鼻の上部の皮膚との隙間１６６や前記人中の前にくる部分５５の左右の四角柱状の部分５７、５８と前記上部の前記左右の板状の部分３６、３９の前記下辺６とその人物の皮膚とに空く隙間等から入り、そして、その人物の鼻腔入口に入る状態となるのであるが、もし、その鼻で吸気を行うことが苦しい場合は、前記三角錐状の部分の内部に存在する空間１２０に在る筒状の部分１２５、又は筒状の部材１２４の内部から前記栓の役目を果たしている物体１２３をピンセット等を利用して抜き取ればその息苦しさは解決、又は、ほぼ解決することが出来、そして、そのマスク主体部３の内側に前記立体マスク用加湿具１が存在している立体マスク２を装着した人物の顔が正面を向いている場合、その人物が口で吐息を行うと、前記三角錐状の部分１１８の、その人物の口や人中と、下の部分が上の部分よりも前に在る状態で対面する形となって存在している前記後面の、その人物の口の前にくるところがその人物の口の横幅よりも狭く、そして、その人物の口と離れている状態となっていれば、その人物は口で吐息を楽に行うことが出来、また、前記後面１１５の人物の口の前にくるところの左右の幅がその人物の口の左右の幅よりも広い場合でも、前記その人物の口の左右の幅よりも広い左右の幅を持つ前記後面１１５の人物の口の前にくるところがその人物の口と密着している状態となっておらず離れている状態となっていればその人物は口で吐息を行うことが出来、そして、その人物の口の左右の幅よりも広い左右の幅となっている前記後面１１５のその人物の口の前にくるところがその人物の口と密着している状態となっており、そして、その人物の口を塞ぐ状態となっていればその人物は口で吐息を行うことが困難な状態となる。（図４７、図１８、図１９、図２０、図２１、図４８、図４５、図４６、図１０、図１１参照）【００７４】また、前記立体マスク用加湿具１が人物の顔に装着された立体マスクのマスク主体部３の内側に存在している時に、前記立体マスク用加湿具１が動いたり、又は、動く状態になると考えられる時は、ホッチキス（登録商標）の針等を用いて前記立体マスクのマスク主体部３と前記立体マスク用加湿具１を接続させると云う方法もある。（図５０、図４９参照）【００７５】  前記立体マスク用加湿具１の中には前記三角錐状の部分の内部に存在する空間１２０の中に、前記筒状の部材１２４や前記筒状の部分１２５は存在せず、そして、前記垂直となった部分３０にも前記孔３５は存在せず、前記三角錐状の部分の内部に存在する空間１２０に、その空間１２０を前後、又は左右に分ける形の板状の部材５２が存在しているものが在り、その三角錐状の部分１１８の内部の構造は、前記板状の部材５２によって作られた二つの空間の内の一つの空間の内壁には一体、又は複数体の内外に自由に空気が出入り出来る状態の孔が存在しており、前記三角錐状の部分の内部に存在する空間１２０の中に前記板状の部材５２が存在している前記立体マスク用加湿具１を人物が使用する場合は、前記孔の無い方の空間１６９に前記温水等が染み込んだ物体を存在させるわけであるが、前記板状の部材５２が在ることで前記温水等が染み込んだ物体から出る湯気を含んだ空気は前記孔から出��ことは出来ず、又、前記孔が在ることでその立体マスク用加湿具１を装着した人物は楽に吸気を行うことが出来、前記孔の無い方の空間１６９は水等の液体が貯まっていたとしても、その液体は、その孔の無い方の空間を持つ立体マスク用加湿具１を傾けない限りは外へ出ることが出来ない容器状の造りとなっており、また、前記立体マスク用加湿具１の中には、垂直にして横から視た場合は、今迄説明してきたものと同じように見えるが、垂直にして正面から視ると、前記下部の下部１５９が下に行くに従って左右の幅が狭くなる三角形状ではなく前記下部１５の全体が縦長、又は、正方形の四角形状となって見え、そして、それらの中には、立体マスク２のマスク主体部３の内側にその立体マスク用加湿具１が在る状態のものを人物が装着した場合は、その人物の口の前にくると思われるところが他の大部分と比べて左右の幅が狭くなっているものが在り、そして、垂直になった状態を正面から視た場合に下部が四角形状となって見える立体マスク用加湿具１の下部の下部１５９の内部の空間には、その立体マスク用加湿具１が、垂直となった部分３０に孔３５が存在していないものでなければ、内部に筒状の部材１２４、筒状の部分１２５、又は板状の部材５２が存在している。（図５８、図６０、図６１、図５、図６参照）
【産業上の利用可能性】
【００７６】本発明は、人物が装着している立体マスクのマスク主体部の内側に存在させることで、その人物は高温多湿の空気を鼻から吸収することが出来ると云うものである。
【図面の簡単な説明】
【００７７】
【図１】立体マスクの外観斜視図である。
【図２】左右の板状の部分の下辺が水平で同じ高さとなった状態の、角状で上部と下部が直線状の前の縦の線を有する立体マスク用加湿具を、その立体マスク用加湿具の右斜め上前方から視た時の見える状態を現した図である。
【図３】左右の板状の部分の下辺が水平で同じ高さとなった状態の、角状の前の縦の線を有する立体マスク用加湿具を正面から視た時の見える状態を現した図である。
【図４】左右の板状の部分の下辺が水平で同じ高さとなった状態の、丸みを帯びた前の縦の線を有する立体マスク用加湿具を正面から視た時の見える状態を現した図である。
【図５】左右の板状の部分の下辺が水平で同じ高さとなった状態の上部と下部が直線状の前の縦の線を有する立体マスク用加湿具を左横から視た時の見える状態を現した図である。
【図６】左右の板状の部分の下辺が水平で同じ高さとなった状態のカーブ状の前の縦の線を有する立体マスク用加湿具を左横から視た時の見える状態を現した図である。
【図７】左右の板状の部分の下辺が水平で同じ高さとなった状態の角状で上部と下部が直線状の前の縦の線を有する立体マスク用加湿具をま上から視た時の図である。
【図８】人物の手に持たれた空中に存在している、左右の板状の部分の下辺が同じ高さで水平となった状態の、前の縦の線が角状で下部の内部の空間の中に筒状の部材が存在する立体マスク用加湿具をま下から視た時の図である。
【図９】人物の手に持たれて空中に在る、左右の板状の部分の下辺が同じ高さで水平となった状態の、前の縦の線が丸みを帯びた形状の、下部の内部の空間の中に筒状の部分が存在する立体マスク用加湿具をま下から視た時の図である。
【図１０】上部と下部が直線状となっている前の縦の線を有する立体マスク用加湿具の下部の内部の空間の中に存在する筒状の部分等の様子をその立体マスク用加湿具の前の縦の線の下部を垂直にした状態で左右の中央を上下に切断した面を左側から視る形で現している図である。
【図１１】前の縦の線がカーブ状となっている立体マスク用加湿具の下部の内部の空間の中に存在する筒状の部材等の様子をその立体マスク用加湿具の前の縦の線の下部の上先端部の下に前の縦の線の下部の下先端部が在る状態にしてその立体マスク用加湿具の左右の中央を縦断する形で上下に切断した面を左側から視る形で現している図である。
【図１２】上部と下部が直線状の前の縦の線を有し、垂直となった部分に複数の孔を有する立体マスク用加湿具の内部の構造を、その立体マスク用加湿具の前の縦の線の下部を垂直にした状態で左右の中央を縦断する形で上下に切断した面を左側から視る方法を用いて現している図である。
【図１３】人物の手で持たれることにより、空中に存在する状態となり、そして、左右の板状の部分の下辺が水平で同じ高さとなっている垂直となった部分に複数の孔が存在する立体マスク用加湿具を下から視た時の見える状態を現している図である。
【図１４】左右の板状の部分の下辺が同じ高さで水平となった状態の立体マスク用加湿具の内部に存在する筒状の部分、又は筒状の部材がかかるところとその立体マスク用加湿具を横断する形で上下に切断した面を正面から視る形でその立体マスク用加湿具の内部の様子を現した図である。
【図１５】左右の板状の部分の下辺が同じ高さで水平となった状態の垂直となった部分に複数の孔が存在する立体マスク用加湿具の下先端部の前後の中央がかかる形でその立体マスク用加湿具を横断する形で上下に切断した面を正面から視る形でその立体マスク用加湿具の内部に存在する袋状の物体等の様子を現した図である。
【図１６】上部と下部が直線状で角状の前の縦の線を有するその前の縦の線の下部が垂直となった、内部に筒状の部分を有する立体マスク用加湿具の三角錐状の部分の上先端部を水平に切断した面を上から視た時の見える状態を現している図である。
【図１７】横から視ると上部と下部が直線状となって見え、丸みを帯びた状態の前の縦の線を有するその前の縦の線の下部が垂直となった状態の内部に筒状の部材を有する立体マスク用加湿具の上部と下部との境目のところを水平に切断した面を上から視た時の見える状態を現している図である。
【図１８】正面を向いた人物の顔に装着された立体マスクのマスク主体部の内側に存在する前の縦の線が角状の立体マスク用加湿具のその人物の口の前にくるところの左右の幅の長さがその人物の口の左右の幅の長さよりも短い状態となっていることをその人物の顔の正面から視る形で現している図である。
【図１９】正面を向いた人物の顔に装着された立体マスクのマスク主体部の内側に存在する丸みを帯びた前の縦の線を有する立体マスク用加湿具のその人物の口の前にくるところの左右の幅の長さがその人物の口の左右の幅の長さよりも長い状態となっていることを、その人物の顔を正面から視る形で現している図である。
【図２０】正面を向いた人物の顔に装着された立体マスクのマスク主体部の内側に存在しているカーブ状の前の縦の線を有する立体マスク用加湿具のその人物の口の前にくるところがその人物の口を塞いでいない様子をその人物の左側から視る形で現しいる図である。
【図２１】正面を向いた人物の顔に装着された立体マスクのマスク主体部の内側に存在している上部と下部が直線状の前の縦の線を有する立体マスク用加湿具のその人物の口の前にくるところがその人物の口を塞いでいる様子をその人物の左側から視る形で現している図である。
【図２２】上下がカーブ状で角状の前の縦の線を有する立体マスク用加湿具本体の外観斜視図である。
【図２３】前の縦の線の下部の上先端部のま下の位置に前の縦の線の下部の下先端部が在る角状の、上下がカーブ状の前の縦の線を有する立体マスク用加湿具本体の上部と下部との境目のところを水平に切断した面を上から視た図である。
【図２４】角状で上部と下部が直線状となった前の縦の線を有する前の縦の線の下部が垂直となった立体マスク用加湿具本体をその立体マスク用加湿具本体の左側から視た時の見える状態を現した図である。
【図２５】片方の手で立体マスク用加湿具を持ち、もう片方の手の指でその立体マスク用加湿具の前の縦の線の下部を前方から後方に力を加える形で押してもその押したところのみが凹む形にならないことでその辺りの硬度を現している図である。
【図２６】左右の板状の部分の下辺が同じ高さで水平、つまり垂直となった立体マスク用加湿具を後ろから視た時の見える状態を現している図である。
【図２７】手に持った立体マスク用加湿具の三角形状の部分をもう片方の手の指で後方から前方へ押している形を上から視ることでその三角形状の部分の柔らかさを示している図である。
【図２８】二冊の電話帳を水平な平面状のところに置くことで作った凹部に、前の縦の線が下を向いた状態の立体マスク用加湿具をその立体マスク用加湿具の上部主体部が見える位置から視た時の見える状態を現している図である。
【図２９】両手の人差し指と中指で中央に力を加えることにより、上下幅を縮めた状態の、前面が下を向いた状態の人中の前にくる部分の左右の四角柱状の部分の中央の高さのところを水平に切断した面を上から視ることにより、前の縦の線が下を向いた状態の立体マスク用加湿具から人中の前にくる部分を取り外そうとしている様子、又は、人中の前にくる部分の左右の四角柱状の部分の孔の中に立体マスク用加湿具本体の左右の後ろ側にはみ出た部分を入れようとしている状態を現している図である。
【図３０】水平な平面状のところに、下面が下になるように置かれた人中の前にくる部分の左の四角柱状の部分の前面を正面から視た時の見える状態を現している図である。
【図３１】水平な平面状のところに置かれた人中の前にくる部分の前面に触れるくらいの前のところを横断する形で上下に切断した面を前から視る時の状態を現した図である。
【図３２】水平な平面状のところに下面が下になるように置かれた人中の前にくる部分の左の四角柱状の部分をま上から視た図である。
【図３３】水平な平面状のところに下面が下になるように置かれた人中の前にくる部分の左の四角柱状の部分の、実際は接着されていることで間は空いていないが、後面の内側の面と膜状の部材との間のところを縦断する形で上下に切断された面を後ろから視る形で現している図である。
【図３４】下面が下になるように水平な平面状のところに置かれた人中の前にくる部分の四角柱状の部分の後面を後ろ内側の上方向から視た図である。
【図３５】水平な平面状のところに上部が上になるように置かれた人中の前にくる部分を後ろ側から視た図である。
【図３６】膜状の部材の下面が下になるように水平な平面状のところに置かれた人中の前にくる部分を上から視た図である。
【図３７】膜状の部材の下面が下になるように水平な平面状のところに置かれた人中の前にくる部分の内側表面のすぐ内側のところを縦断する形で上下に切断された面を内側から視る形で現している図である。
【図３８】下面と上面が水平になるように下面を下にして指でつまんで手に持つことで空中に在る右の四角柱状の部分を下から視た図である。
【図３９】水平な平面状の上に下面が下になるように置かれた人中の前にくる部分の前後の中央を横断する形で切断された面を前側から視る形で現している図である。
【図４０】水平な平面状のところに置かれた人中の前にくる部分の一部となった左の四角柱状の部分を外側横から視た時の見える状態を現した図である。
【図４１】水平な平面状のところに下面が下になるように置かれた左の四角柱状の部分の上下の中央を水平に切断した面を上から視た図である。
【図４２】片方の手の人差し指と親指で人中の前にくる部分の上面が上になった状態の左の四角柱状の部分の左右をつまんでもう片方の手の人差し指で膜状の部材の後面を後ろ側から前側に力を加える形で押している図である。
【図４３】人中の前にくる部分の左の四角柱状の部分の孔の中に立体マスク用加湿具本体の左の後ろ側にはみ出た部分が入っている様子を左の四角柱状の部分の左右のところを縦断する形で上下に切断した面を外側横から視る形で現している図である。
【図４４】垂直となった、上部と下部が直線状の前の縦の線を有する立体マスク用加湿具の内の下部の、人中の前にくる部分の左右の中央のところとその前のところを前後に縦断する形で上下に切断した面を左側から視た時の見える状態を現している図である。
【図４５】垂直となった上部と下部が直線状の前の縦の線を有する立体マスク用加湿具の内の三角錐状の部分の左右の中央を前後に縦断する形で上下に切断された面を左側から視ることにより、その三角錐状の部分の内部の空間に在る水の状態と、その三角錐状の部分の内部の空間に在る筒状の部材と、その筒状の部材の中に在る栓の役目を果たす物体の様子を現している図である。
【図４６】垂直となった上部と下部が直線状の前の縦の線を有する立体マスク用加湿具の内の三角錐状の部分の左右の中央を前後に縦断する形で上下に切断された面を左側から視ることにより、その三角錐状の部分の内部の空間に在る温水等を染み込ませた物体と、その三角錐状の部分の内部の空間に在る筒状の部分、そして、その筒状の部分の中に在る栓の役目を果たす物体の様子を現している図である。
【図４７】正面を向いた人物の顔に装着された立体マスクのマスク主体部の内側に在る立体マスク用加湿具の左右の板状の部分が出ているところとその付近と、人物の鼻の上部の皮膚とで出来る空間の形状等を、立体マスクのマスク主体部を省いた状態で上から視る形で現している図である。
【図４８】正面を向いた人物の顔に装着された立体マスクのマスク主体部の内側に在る立体マスク用加湿具の左右の板状の部分の下辺と人中の前にくる部分の左右の四角柱状の部分の後面とその人物の皮膚とによってつくられる隙間の形状を左右の板状の部分の下辺の上のところの下辺と触れるくらいの高さのところで水平に切断した面を上から視る形で現している図である。
【図４９】立体マスクのマスク主体部の表面に、マスク主体部の内側に存在する立体マスク用加湿具とマスク主体部とを接続している複数のホッチキスの針が見える様子を現している図である。
【図５０】立体マスクのマスク主体部と立体マスク用加湿具の上部が複数のホッチキスの針によって接続されている仕組みを分かりやすく説明している図である。
【図５１】左右の四角柱状の部分の下面が下になるように水平で平面状のところに置かれた人中の前にくる部分の左右の四角柱状の部分の上下の中央となるところを水平に切断した切断面を上から視た時の見える状態を現した図である。
【図５２】左右の四角柱状の部分の上面が同じ高さで水平となった状態の空中に浮んだ人中の前にくる部分を、その人中の前にくる部分の斜め上前方から視た時の見える状態を現している図である。
【図５３】角状で一つのカーブで成る前の縦の線を有する垂直となった立体マスク用加湿具を正面から視た図である。
【図５４】垂直となった、丸みを帯びた一つのカーブから成る前の縦の線を有する立体マスク用加湿具を正面から視た図である。
【図５５】正面を向いた人物の顔に装着された立体マスクのマスク主体部の内側に在る三角錐状の部分の内側の空間に板状の部材が在る立体マスク用加湿具の内部の様子をそれらの左側から視る形で現している図である。
【図５６】垂直となった、上下が直線状の部分から成る前の縦の線を有し、三角錐状の部分の内部の空間の中にその空間を前後に分ける形の板状の部材が在る立体マスク用加湿具本体の左右の中央を縦断する形で上下に切断した切断面を左側から視る形でその内部を現している図である。
【図５７】垂直となった、角状の前の縦の線を有し、三角錐状の部分の内部に存在する空間の中に、その空間を前後に分ける状態で存在する板状の部材が在る立体マスク用加湿具のその板状の部材の前側表面すれすれのところを横断する形で上下に切断した面を正面から視る形でその内部の様子を現している図である。
【図５８】上部と下部の二つの直線状の部分で成る前の縦の線を有する、左右の板状の部分の二つの下辺が同じ高さで水平となった状態の立体マスク用加湿具の左右の中央を上下に縦断する形で切断した切断面を左側から視る形で内部に在る水等の状態を現している図である。
【図５９】正面を向いた人物の顔を正面から視た図である。
【図６０】垂直となった状態を正面から視た時に、下部の全体が縦長の四角形状となって見え、前の縦の線が角状の立体マスク用加湿具の図である。
【図６１】垂直になった状態を正面から視た時に、縦長の四角形状の下部の、人物が装着した時に口の前にくると思われるところが他の部分と比べて左右の幅が短くなっている形状で、前の縦の線が角状の立体マスク用加湿具の図である。
【符号の説明】
【００７８】１、立体マスク用加湿具２  立体マスク３、立体マスクのマスク主体部４、立体マスク用加湿具本体５、立体マスクのマスク主体部から延びるひも状の部材６、板状の部分の下辺７、板状の部分の下辺の前の延長線８、立体マスク用加湿具の上先端部９、板状の部分の上辺１０、板状の部分の上辺の後ろ先端部１１、板状の部分の下辺の後ろ先端部１２、板状の部分の後ろ側の辺１３、後ろ側にはみ出た部分の内側の側面１４、後ろ側にはみ出た部分の外側の側面１５、下部１６、後ろ側にはみ出た部分の上面１７、後ろ側にはみ出た部分の下面１８、上部１９、上部と下部との境目のところ２０、立体マスク用加湿具の下先端部２１、立体マスク用加湿具の下先端部の前先端部２２、上部主体部２３、三角形状の部分２４、三角形状の部分の後辺２５、左右の板状の部分の上辺の前先端部どうしをつないだ線２６、左右の板状の部分の上辺の後ろ先端部どうしをつないだ線２７、板状の部分の上辺が出ているところと下辺が出ているところ、即ち二辺の前先端部どうしをつないだ直線２８、板状の部分の上辺が出ているところ、板状の上辺の前先端部２９、板状の部分の下辺が出ているところ、板状の部分の下辺の後ろ先端部３０  垂直となった部分３１、下部の内部の空間３２、垂直となった部分の、垂直の状態が下で終わる下先端部三角錐状の部分の上先端部３３、三角錐状の部分の内部に存在する空間の上に在る空間と人中の前にくる部分の内部に存在する空間との境目のところ３４、三角錐状の部分の内部に存在する空間の上に在る空間３５、垂直となった部分に存在する複数の孔３６  左の板状の部分３７、左側の部分３８、左の後ろ側にはみ出た部分３９、右の板状の部分４０、前の縦の線４１、前の縦の線の上部４２、前の縦の線の上部の下先端部４３、前の縦の線の下部の上先端部４４、前の縦の線の上部と下部との境目のところ４５、前の縦の線の上先端部４６、前の縦の線の上部の上先端部４７、前の縦の線の下先端部４８、前の縦の線の下部の下先端部４９、前の縦の線の下部の上先端部と下先端部をつなぐ見えない直線５０、右側の部分５１、右の後ろ側にはみ出た部分５２、板状の部材５３、下部の内部の空間の上先端部５４  下部の内部の空間の下先端部５５、人中の前にくる部分５６、人中の前にくる部分の左右の四角柱状の部分の前面どうしをつないだ見えない直線５７、左の四角柱状の部分５８、右の四角柱状の部分５９、膜状の後面６０、膜状の下面６１、膜状の部材６２、膜状の部材の横端の部分６３、膜状の部材の表面６４  膜状の部材の裏面６５、膜状の部材の後ろ角６６、膜状の部材の後ろ端の部分６７、人中の前にくる部分の四角柱状の部分の内側の上辺６８、人中の前にくる部分の四角柱状の部分の内側の下辺６９、人中の前にくる部分の四角柱状の部分の内側横面７０、人中の前にくる部分の四角柱状の部分の前面の内側の縦の辺７１、人中の前にくる部分の前面の内側の縦の辺の下先端部７２、人中の前にくる部分の四角柱状の部分の内側の影の面７３、人中の前にくる部分の四角柱状の部分に存在する孔７４、人中の前にくる部分の四角柱状の部分の後面７５、人中の前にくる部分の四角柱状の部分の下面の前先端部７６、四角柱状の部分に存在する孔の下を向��た面７７、四角柱状の部分に存在する孔の上を向いた面７８、四角柱状の部分に存在する孔の入口７９、四角柱状の部分の外側の下辺８０、四角柱状の部分に存在する孔の内の内側面８１、四角柱状の部分に存在する孔の外の内側面８２、四角柱状の部分の後面の上辺８３、四角柱状の部分の後面の上辺の内側の部分８４、四角柱状の部分の後面の上辺の外側の部分８５、四角柱状の部分の後面の上辺の外側の部分と内側の部分との境目の線８６、四角柱状の部分の後面の内側の面８７、四角柱状の部分の後面の外側の面８８、四角柱状の部分の後面の外側の面と内側の面をつなぐ面８９、四角柱状の部分の後面の外側の縦の辺９０、四角柱状の部分の後面の内側の縦の辺９１、四角柱状の部分の後面の外側の面の内側の縦の辺９２、四角柱状の部分の後面の内側の面の外側の縦の辺９３、四角柱状の部分の後面の下辺の外側の部分９４、四角柱状の部分の後面の下辺の内側の部分９５、四角柱状の部分の後面の内側の面の外側の縦の辺の下に延びる延長線９６、四角柱状の部分の上面９７、四角柱状の部分の下面９８、四角柱状の部分の前面９９、四角柱状の部分の前面の上辺１００、四角柱状の部分の前面の外側の縦の辺１０１、四角柱状の部分の前面の外側の縦の辺の下先端部１０２、四角柱状の部分の外側横面１０３、四角柱状の部分の前面の下辺の外側の部分と下辺の内側の部分との境目の部分１０４、四角柱状の部分の前面の下辺の内側の部分１０５、四角柱状の部分の前面の下辺の外側の部分１０６、四角柱状の部分の外側の上辺１０７、四角柱状の部分の下面の外側の面の内辺１０８、四角柱状の部分の下面の外側の面、表面１０９、四角柱状の部分の下面の内側の面、表面１１０、三角錐状の部分の後面の上面１１１、三角錐状の部分の後面の内面１１２、三角錐状の部分の後面の表面１１３、三角錐状の部分の後面の左端の辺１１４、三角錐状の部分の後面の右端の辺１１５、三角錐状の部分の後面１１６、三角錐状の部分の後面の下先端部１１７  三角錐状の部分の後面の、人物の口の前にくるところ１１８、三角錐状の部分１１９、三角錐状の部分の下先端部１２０、三角錐状の部分の内部に存在する空間１２１、三角錐状の部分の左側面と右側面がつながっているところ１２２、三角錐状の部分の上先端部１２３、栓の役目を果たす物体１２４、筒状の部材１２５、筒状の部分１２６、筒状の部材、又は、筒状の部分の下先端部１２７、筒状の部材、又は、筒状の部分の上先端部１２８、筒状の部材、又は、筒状の部分の内部の他の大部分のところよりも狭いところ１２９、三角錐状の部分の左側面１３０、三角錐状の部分の左側面の下先端部１３１、三角錐状の部分の左側面の下先端部の後ろ先端部１３２、三角錐状の部分の左側面の後辺１３３、三角錐状の部分の右側面１３４、三角錐状の部分の右側面の下先端部１３５、三角錐状の部分の右側面の下先端部の後ろ先端部１３６、三角錐状の部分の右側面の後辺１３７、人中の前にくる部分の後面１３８  前の縦の線の下部１３９、左右の板状の部分の二つの上辺の間の中央に在る見えない直線１４０、下部の上部１４１、左右の四角柱状の部分の中央となるところに、その左右の四角柱状の部分の内側の上辺、又は内側の下辺と平行になるように描���れた見えない直線１４２、四角柱状の部分の前面の下辺の外側の部分と内側の部分との境目の部分の下先端部１４３、四角柱状の部分の外側の上辺の後ろ先端部１４４、四角柱状の部分の内側の上辺の後ろ先端部１４５、四角柱状の部分の上面の、後面の上辺の内側の部分と後面の上辺の外側の部分との境目の線から続く見えない延長線１４６、四角柱状の部分の下面の内側の面の外側の辺１４７、膜状の部材の前先端部１４８  下部の下部の側面に孔が存在している空間１４９、四角柱状の部分の後面の外側の面の内側の縦の辺の下先端部１５０、人物の左右の唇の端の部分にかかる縦の線１５１、人物の鼻の左右の端の部分にかかる縦の線１５２、前の縦の線の下部の上部１５３、人中の前にくる部分の内部に存在する空間１５４  下部の下先端部１５  、上部主体部の右側の部分１５６、上部主体部の左側の部分１５７、立体マスク用加湿具の表面に描かれた左右の板状の部分の下辺の前へ延びる実際には見えない直線１５８、立体マスクのマスク主体部の内面１５９、下部の下部１６０、上部の表面１６１、上部主体部の表面１６３、袋状の物体の口部１６４、袋状の物体の口部の丸められた部分１６５、板状の部分の表面１６６、板状の部分の上辺が出ているところとその付近の上辺と人物の皮膚とに空く隙間１６７、人中の前にくる部分の四角柱状の部分と板状の部分の下辺と人物の皮膚とに空く隙間１６８、板状の部材の上先端部１６９、下部の下部の側面に孔が存在していない方の空間
【図１】
2020037757.tif 000003
【図２】
2020037757.tif 000004
【図３】
2020037757.tif 000005
【図４】
2020037757.tif 000006
【図５】
2020037757.tif 000007
【図６】
2020037757.tif 000008
【図７】
2020037757.tif 000009
【図８】
2020037757.tif 000010
【図９】
2020037757.tif 000011
【図１０】
2020037757.tif 000012
【図１１】
2020037757.tif 000013
【図１２】
2020037757.tif 000014
【図１３】
2020037757.tif 000015
【図１４】
2020037757.tif 000016
【図１５】
2020037757.tif 000017
【図１６】
2020037757.tif 000018
【図１７】
2020037757.tif 000019
【図１８】
2020037757.tif 000020
【図１９】
2020037757.tif 000021
【図２０】
2020037757.tif 000022
【図２１】
2020037757.tif 000023
【図２２】
2020037757.tif 000024
【図２３】
2020037757.tif 000025
【図２４】
2020037757.tif 000026
【図２５】
2020037757.tif 000027
【図２６】
2020037757.tif 000028
【図２７】
2020037757.tif 000029
【図２８】
2020037757.tif 000030
【図２９】
2020037757.tif 000031
【図３０】
2020037757.tif 000032
【図３１】
2020037757.tif 000033
【図３２】
2020037757.tif 000034
【図３３】
2020037757.tif 000035
【図３４】
2020037757.tif 000036
【図３５】
2020037757.tif 000037
【図３６】
2020037757.tif 000038
【図３７】
2020037757.tif 000039
【図３８】
2020037757.tif 000040
【図３９】
2020037757.tif 000041
【図４０】
2020037757.tif 000042
【図４１】
2020037757.tif 000043
【図４２】
2020037757.tif 000044
【図４３】
2020037757.tif 000045
【図４４】
2020037757.tif 000046
【図４５】
2020037757.tif 000047
【図４６】
2020037757.tif 000048
【図４７】
2020037757.tif 000049
【図４８】
2020037757.tif 000050
【図４９】
2020037757.tif 000051
【図５０】
2020037757.tif 000052
【図５１】
2020037757.tif 000053
【図５２】
2020037757.tif 000054
【図５３】
2020037757.tif 000055
【図５４】
2020037757.tif 000056
【図５５】
2020037757.tif 000057
【図５６】
2020037757.tif 000058
【図５７】
2020037757.tif 000059
【図５８】
2020037757.tif 000060
【図５９】
2020037757.tif 000061
【図６０】
2020037757.tif 000062
【図６１】
2020037757.tif 000063
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
人物によって使用されている時は、人物の顔に装着されている立体マスク２のマスク主体部３の内側に存在する状態となる立体マスク用加湿具１であって前記立体マスク用加湿具１は、前記立体マスク用加湿具１が人物に使用されている時に、全体が、人物の顔に装着されている前記立体マスク２の前記マスク主体部３の内面と密着する状態となる表面１６０を有する上部１８と、前記上部１８が上に在る時は前記上部１８の下に位置し、前記上部１８とつながった形で造られている下部１５とで成り、前記下部１５の内部は空間となっており、前記空間には水等の液体を貯めることが出来る容器状となっている部分が在り、そして、前記上部１８は上部主体部２２と前記上部主体部２２の上側後方に在る三角形状の部分２３の後辺２４の左側のところと右側のところから別々に後方に向って延びる左の板状の部分３６と右の板状の部分３９が在り、その左右の板状の部分３６、３９は、二つの板状の部分３６、３９の上辺９の離れている距離が前側よりも後ろ側の方が長くなっていることを特徴とする立体マスク用加湿具。
【手続補正２】
【補正対象書類名】明細書
【補正対象項目名】０００６
【補正方法】変更
【補正の内容】
【０００６】２０１２−８１２４１号公報